(57)【要約】【課題】  ペーパーの折り返し幅が同じ長さになるよう綺麗に折り畳むことができるようにし、長さを手直しして整える手間暇や不便を解消する。【解決手段】  ロール形のトイレットペーパー１を、芯を横にして回転自在に保持する本体部２と、この本体部２の下側に設けられて下方に出されるトイレットペーパー１を受ける紙受け７とを備えて形成する。紙受け７の底の上面１０を、前側に下り傾斜の前側傾斜面部１０ａと、後側に下り傾斜の後側傾斜面部１０ｂとで側面から見て山形状に、且つ前側傾斜面部１０ａと後側傾斜面部１０ｂとが作る稜線１０ｃを、トイレットペーパー１の垂下状の下端１ａに対応させてそのほぼ下方位置に配置させて形成する。紙受け７の底の上面１０の前後に、紙止め部１４を起立状に形成する。【選択図】        図１
2008055029.tif 000002
【特許請求の範囲】
【請求項１】
ロール形のトイレットペーパーを、芯を横にして回転自在に保持する本体部と、この本体部の下側に設けられて下方に出されるトイレットペーパーを受ける紙受けとを備えて形成されているトイレットペーパーホルダーであって、上記の紙受けの底の上面が、前側に下り傾斜の前側傾斜面部と、後側に下り傾斜の後側傾斜面部とで側面から見て山形状に、且つ前側傾斜面部と後側傾斜面部とが作る稜線を、トイレットペーパーの垂下状の下端に対応させてそのほぼ下方位置に配置させて形成され、紙受けの底の上面の前後に紙止め部が起立状に形成されていることを特徴とするトイレットペーパーホルダー。
【請求項２】
請求項１記載のトイレットペーパーホルダーであって、紙受けの底の上面に折り畳まれて載せられるトイレットペーパーの折り畳み部を上下から手指で挟んで取り出すための開口部が、底の前側から奥側に向かって且つ後側傾斜面部に至って切り欠き状に形成されていることを特徴とするトイレットペーパーホルダー。
【請求項３】
請求項２記載のトイレットペーパーホルダーであって、開口部の左右の縁に、トイレットペーパーの折り畳み部が開口部から垂れ下がるのを防止するための支持片が、夫々外側上方に返されて開き動作自在に設けられていることを特徴とするトイレットペーパーホルダー。
【請求項４】
請求項１記載のトイレットペーパーホルダーの紙受けであって、底の上面が、前側に下り傾斜の前側傾斜面部と、後側に下り傾斜の後側傾斜面部とで側面から見て山形状に、且つ前側傾斜面部と後側傾斜面部とが作る稜線を、トイレットペーパーの垂下状の下端のほぼ下方位置に配置させて形成され、底の上面の前後に紙止め部が起立状に形成されていることを特徴とする紙受け。
【請求項５】
請求項４記載のトイレットペーパーホルダーの紙受けであって、底の上面に折り畳まれて載せられるトイレットペーパーの折り畳み部を上下から手指で挟んで取り出すための開口部が、底の前側から奥側に向かって且つ後側傾斜面部に至って切り欠き状に形成されていることを特徴とする紙受け。
【請求項６】
請求項５記載のトイレットペーパーホルダーの紙受けであって、開口部の左右の縁に、トイレットペーパーの折り畳み部が開口部から垂れ下がるのを防止するための支持片が、夫々外側上方に返されて開き動作自在に設けられていることを特徴とする紙受け。
【発明の詳細な説明】
【技術分野】
【０００１】
本発明は、ロール形のトイレットペーパーを使用するタイプのトイレットペーパーホルダーに関し、更に詳しくはペーパーを受けるための紙受けを備えたトイレットペーパーホルダー及びトイレットペーパーホルダー用の紙受けに関するものである。
【背景技術】
【０００２】
従来この種のホルダーとしては、例えばロール形のトイレットペーパーを、芯を横にして回転自在に保持する本体部と、この本体部の上面を覆う庇状のカバーと、上記のトイレットペーパーを自動で送り出すモータと、このモータで下方に送り出されるトイレットペーパーを受ける紙受けとを備えて形成されているものがある（例えば特許文献１参照）。
【０００３】
而して従来品の紙受けは、特許文献１に記載されているように、上面が凹湾曲状に形成されたり、あるいは単に平面状に形成されているのが通例であった。
従って従来品の場合は、紙受けの上面に載せられた紙が、上になるほど前後の幅が狭い状態で、横から見て台形状に、不揃いに折り畳まれた。そのため従来品によると、使用時に、例えば長さを手直しして整える必要が生じ、面倒で使い勝手が悪い、という問題点があった。
【特許文献１】特許第３３５６７２７号公報
【発明の開示】
【発明が解決しようとする課題】
【０００４】
本発明は、このような従来技術の問題点に鑑み、提案されたものである。
従って本発明の解決しようとする技術的課題は、ペーパーの折り返し幅が同じ長さになるよう綺麗に折り畳むことができるようにし、長さを手直しして整える手間暇や不便を解消し、使い勝手が良くなるよう形成したトイレットペーパーホルダー及び同様の効果を奏する紙受けを提供することにある。
【課題を解決するための手段】
【０００５】
本発明は、上記の課題を解決するため、次のような技術的手段を採る。
即ち本発明は、図１等に示されるように、ロール形のトイレットペーパー１を、芯を横にして回転自在に保持する本体部２と、この本体部２の下側に設けられて下方に出されるトイレットペーパー１を受ける紙受け７とを備えて形成されているトイレットペーパーホルダーであって、上記の紙受け７の底の上面１０が、前側に下り傾斜の前側傾斜面部１０ａと、後側に下り傾斜の後側傾斜面部１０ｂとで側面から見て山形状に、且つ前側傾斜面部１０ａと後側傾斜面部１０ｂとが作る稜線１０ｃを、トイレットペーパー１の垂下状の下端１ａに対応させてそのほぼ下方位置に配置させて形成され、紙受け７の底の上面１０の前後に紙止め部１４が起立状に形成されていることを特徴とする（請求項１）。
【０００６】
ここで、トイレットペーパー１の垂下状の下端１ａに対応させてそのほぼ下方位置に配置させ、とは、トイレットペーパー１を手動で引き出したり、モータ５で送り出すとき、稜線１０ｃを介して前後に同じ折り返し幅でトイレットペーパー１の折り畳みが可能になるよう稜線１０ｃが位置決めされている、ということを意味する。具体的には、稜線１０ｃを、垂下状の下端１ａの真下に配置したり、垂下状の下端１ａの真下より、多少、前後方向にずらして配置することにより実現される。紙止め部１４は、紙受け７の底を一体成型により立ち上げたり、専用の部材を底の上面１０に設けることで形成される。また本発明の場合、紙受け７は、本体部２に一体状に設けられているのでも、或いは本体部２と別個に形成され、本体部２に、例えば着脱自在に設けられているのでも良い。
【０００７】
また本発明は、紙受け７の底の上面１０に折り畳まれて載せられるトイレットペーパー１の折り畳み部１ｂを上下から手指で挟んで取り出すための開口部１２が、底の前側から奥側に向かって且つ後側傾斜面部１０ｂに至って切り欠き状に形成されているのが好ましい（請求項２）。
なぜならこれによると、手を開口部１２の奥まで深く差し入れてトイレットペーパー１の折り畳み部１ｂをしっかり掴んで取り出すことができるからである。
【０００８】
また本発明は、開口部１２の左右の縁に、トイレットペーパー１の折り畳み部１ｂが開口部１２から垂れ下がるのを防止するための支持片１３が、夫々外側上方に返されて開き動作自在に設けられているのが好ましい（請求項３）。
なぜならこれによると、手を開口部１２に入れ易くなるよう、開口部１２の左右の幅を広くすることができ、一層、使い勝手が良くなるからである。
【０００９】
また本発明のトイレットペーパーホルダーの紙受け７としては、底の上面１０が、前側に下り傾斜の前側傾斜面部１０ａと、後側に下り傾斜の後側傾斜面部１０ｂとで側面から見て山形状に、且つ前側傾斜面部１０ａと後側傾斜面部１０ｂとが作る稜線１０ｃを、トイレットペーパー１の垂下状の下端１ａに対応させてそのほぼ下方位置に配置させて形成され、底の上面１０の前後に紙止め部１４が起立状に形成されていることを特徴とするものがある（請求項４）。
【００１０】
ここで、稜線１０ｃを、トイレットペーパー１の垂下状の下端１ａに対応させてそのほぼ下方位置に配置させて形成され、の意味は、上記の通りである。紙止め部１４は、底の上面１０が一体成型により立ち上げられるのでも、別部材が設けられることにより形成されるのでも良い。
【００１１】
また本発明の紙受け７は、底の上面１０に折り畳まれて載せられるトイレットペーパー１の折り畳み部１ｂを上下から手指で挟んで取り出すための開口部１２が、底の前側から奥側に向かって且つ後側傾斜面部１０ｂに至って切り欠き状に形成されているのが好ましい（請求項５）。
なぜならこれによると、手を開口部１２の奥まで深く差し入れてトイレットペーパー１の折り畳み部１ｂをしっかり掴んで取り出すことができるからである。
【００１２】
またこの本発明の紙受け７は、開口部１２の左右の縁に、トイレットペーパー１の折り畳み部１ｂが開口部１２から垂れ下がるのを防止するための支持片１３が、夫々外側上方に返されて開き動作自在に設けられているのが好ましい（請求項６）。
なぜならこれによると、手を開口部１２に入れ易くなるよう、開口部１２の左右の幅を広くすることができ、一層、使い勝手が良くなるからである。
【発明の効果】
【００１３】
本発明のホルダーは、このように紙受けの底の上面が、前側に下り傾斜の前側傾斜面部と、後側に下り傾斜の後側傾斜面部とで側面から見て山形状に、且つ前側傾斜面部と後側傾斜面部とが作る稜線を、トイレットペーパーの垂下状の下端に対応させてそのほぼ下方位置に配置させて形成され、紙受けの底の上面の前後に紙止め部が起立状に形成されているものである。また本発明の紙受けは、このような構成を特徴とするものである。
従って本発明のホルダー及び紙受けは、稜線を介して前後方向にペーパーが折り返される際に、上になるペーパーが前後の下り傾斜面部によって少しづつ下がって折り返されるから、これによれば、ペーパーの折り返し方向の長さが不揃いになることを防止でき、綺麗に折り畳むことができ、手直しの不便を解消できるものである。
【発明を実施するための最良の形態】
【００１４】
以下、本発明を実施するための最良の形態を説明する。
図１等において、１はロール形のトイレットペーパーであり、２はこのトイレットペーパー１を、芯を横にして回転自在に保持する本体部である。この本体部２の上面は、庇状のカバー３で覆われている。また本体部２は、電源４としての電池と、モータ５を内蔵し、この実施形態の本発明はトイレットペーパー１を電動で送り出し、カバー３の前端部の鋸歯３ａでトイレットペーパー１を引き切ることができるよう形成されている。
【００１５】
６は、モータ５を始動するためのスイッチハンドルである。このスイッチハンドル６は、本体部２の片側の上面の湾曲に沿って、前後方向に長く延び、且つ前側が下向きに湾曲されて柔軟状に形成されている。そしてこのスイッチハンドル６が、押し下げられると、スイッチ６ａが押されてオンになり、モータ５が始動する。また使用者が、スイッチハンドル６から手を離すと、スイッチ６ａが上方に復帰してオフになるよう構成されている。
【００１６】
７は、モータ５で下方に送り出されるトイレットペーパー１を受ける紙受けである。この紙受け７は、本体部２の下側に設けられ、この実施形態では本体部２と別個に形成されて本体部２に、着脱自在に設けられている。具体的には、図２に示されるように、本体部２の内面の両側下端に、紙受け７の両側上端に設けられている爪片８を差込可能なスリット状の横孔９が、爪片８の形成位置に対応して設けられ、紙受け７は爪片８を横孔９に差し込むことで本体部２に取り付けられ、爪片８を横孔９から外すことで取り外しが可能に形成されている。そのため紙受け７の両側部は、内方に押すと撓まれて傾き、内方への押圧力を解除すると垂直状に復元するよう、合成樹脂材のバネ性を利用して柔軟質に形成されている。
【００１７】
上記の紙受け７の底の上面１０は、前側に下り傾斜の前側傾斜面部１０ａと、後側に下り傾斜の後側傾斜面部１０ｂとで側面から見て山形状に、且つ前側傾斜面部１０ａと後側傾斜面部１０ｂとが作る稜線１０ｃを、トイレットペーパー１の垂下状の下端１ａに対応させてそのほぼ下方位置に配置させて形成されている。この実施形態の場合、稜線１０ｃは、トイレットペーパー１の垂下状の下端１ａの真下より、幾分、前側に位置決めされて配置されている。また稜線１０ｃを中心とした上面１０の傾斜角Ａ（図３参照）は、この実施形態では約１３５度に選定されている。また紙受け７の底の上面１０は、前後方向に延びる突条１１が、左右方向に、例えば等間隔に複数並列状に形成され、トイレットペーパー１との接触摩擦を軽減できるよう形成されている。
【００１８】
１２は、紙受け７の底の上面１０に折り畳まれて載せられるトイレットペーパー１の折り畳み部１ｂ（図５、図６参照）を、上下から手指で挟んで取り出すための開口部である。この開口部１２は、底の前側から奥側に向かって且つ後側傾斜面部１０ｂに至って切り欠き状に形成されている。
【００１９】
また本発明は、開口部１２の左右の縁に、トイレットペーパー１の折り畳み部１ｂが開口部１２から垂れ下がるのを防止するための支持片１３が、夫々外側上方に返されて開き動作自在に設けられている。この支持片１３は、底の上面１０と面一に位置決めされている。１３ａ（図４、図５参照）は、支持片１３の取り付け軸である。支持片１３は、この軸１３ａを介して開口部１２の左右の縁に、対向状に取り付けられている。
【００２０】
また１４は、紙受け７の底の上面１０の前後に起立状に形成されている紙止め部である。この紙止め部１４は、この実施形態では底と一体成型されている。
【００２１】
次に本発明の作用を説明する。
使用者が、先ずスイッチハンドル６を押すと、スイッチ６ａが入りモータ５が始動する。この実施形態の場合、モータ５は、スイッチハンドル６を押している間中、駆動し、トイレットペーパー１が下方に送り出される。
【００２２】
そして下方に送り出されたトイレットペーパー１は、紙受け７の底の上面１０に当たると、折り返し状に畳まれる。この場合本発明は、上面１０が山形状に形成されているから、トイレットペーパー１は上面１０の手前側と奥側に下りながら折り返され、稜線１０ｃを越えて行ったり来たりしながら、折り返しの幅が下から上まで同じ長さの状態で折り畳まれる。またこの場合、上面１０はこの実施形態では波板状に形成されているから、トイレットペーパー１は上面１０との接触摩擦抵抗が小さい状態で円滑に折り畳まれる。
【００２３】
そして使用者は、折り畳まれたトイレットペーパー１の厚さが、所望の厚さになったら、スイッチハンドル６から手を離す。これによりモータ５が停止し、紙送りがストップする。そこで使用者は、カバー３の前端部の鋸歯３ａを利用してトイレットペーパー１を引き切り、次に紙受け７の前側から開口部１２に手を入れ、トイレットペーパー１の折り畳み部１ｂを上下から挟んで取り出す。
【００２４】
この場合、使用者が、トイレットペーパー１を挟んだ手を持ち上げると、手に押されて支持片１３が軸１３ａを中心に外側に回って開く。従って本発明品の場合は、手を開口部１２に入れ易くなるよう、開口部１２の横幅を広く形成しても、支持片１３でトイレットペーパー１の折り畳み部１ｂを支持でき、それでいながら折り畳み部１ｂの取り出しを支障なく行なえるものである。なお折り畳み部１ｂを取り出した後は、次ぎに送り出されるトイレットペーパー１を支持できるよう支持片１３を戻しておく。
【００２５】
以上の処において、本発明のホルダーは、トイレットペーパー１を手動で引き出すタイプでも良く、また電動式で、且つトイレットペーパー１の切断を自動化できるよう形成されているのでも良い。
また紙受け７の底の上面１０の傾斜角Ａは、あまり緩いと、折り返し長さの均等効果を得られにくくなる。この傾斜角Ａは、通常、１２０度〜１５０度程度が好ましいが、紙質や底の上面１０の摩擦抵抗等の諸条件によって適宜選定されるので良い。
【図面の簡単な説明】
【００２６】
【図１】本発明品の好適な一実施形態を示す斜視図である。
【図２】本発明品の要部正面図である。
【図３】本発明品の要部右側面図である。
【図４】紙受けの正面図である。
【図５】図４のＶ−Ｖ線における要部断面図である。
【図６】紙受けの平面図である。
【符号の説明】
【００２７】
１      トイレットペーパー
１ａ    垂下状の下端
２      本体部
７      紙受け
１０    底の上面
１０ａ  前側傾斜面部
１０ｂ  後側傾斜面部
１０ｃ  稜線
１４    紙止め部
【図１】
2008055029.tif 000003
【図２】
2008055029.tif 000004
【図３】
2008055029.tif 000005
【図４】
2008055029.tif 000006
【図５】
2008055029.tif 000007
【図６】
2008055029.tif 000008